(57)【要約】【課題】半導体レーザと対物レンズとの間の光路内に光学部品を挿脱させる。【解決手段】回転駆動源７１によって回転する歯車７４と、欠歯歯車７６と、欠歯歯車７６と一体となって光ピックアップベース２１Ａに植設した軸部２１ｈを中心して所定の角度回動可能に設けられた回動アーム７７と、回動アーム７７と係合し且つ光ピックアップベース２１Ａに間隔を離して形成した第１，第２ストッパ２１ｋ，２１ｊにそれぞれ当接する第１，第２停止位置間をガイド部材２３により直線移動可能に案内されたスライド板２４と、スライド板２４に一体的に固着され且つ半導体レーザ２２と対物レンズとの間の光路内を挿脱するようにスライド板を介して第１停止位置又は第２停止位置に位置決めされる光学部品２５と、欠歯歯車７６及び回動アーム７７に掛止されてスライド板２４を第１又は第２ストッパ側にそれぞれ付勢する捩じりバネと、を備えた光ピックアップ装置を提供する。【選択図】図５
2008192219.tif 000002
【特許請求の範囲】
【請求項１】
半導体レーザから出射させたレーザ光を対物レンズを介して少なくとも１種類以上の光記録媒体に照射して情報信号を記録又は再生する光ピックアップ装置において、
前記光記録媒体の径方向に移動自在に設けられ、且つ、前記半導体レーザと、複数の光学部品と、前記対物レンズとを搭載した光ピックアップベースと、
前記光ピックアップベースに取り付けられ、且つ、回転駆動源によって回転する歯車と、
前記光ピックアップベースに取り付けられ、且つ、前記歯車と噛合する歯車部と、この歯車部の両側を欠歯してそれぞれ形成された第１，第２欠歯部とを有する欠歯歯車と、
前記欠歯歯車と一体となって前記光ピックアップベースに植設した軸部を中心して所定の角度回動可能に設けられ、且つ、係合部を形成した回動アームと、
前記回動アームの係合部と係合する非係合部を有し、且つ、前記光ピックアップベースに間隔を離して形成した第１，第２ストッパにそれぞれ当接する第１，第２停止位置間をガイド部材により直線移動可能に案内されており、前記歯車が前記欠歯歯車の歯車部に噛合して該欠歯歯車が回転している最中には前記回動アームを介して前記ガイド部材に沿って直線移動するも、前記歯車が前記欠歯歯車の第１又は第２欠歯部と対向した時に第１又は第２停止位置で停止するスライド板と、
前記スライド板に一体的に固着され、且つ、前記半導体レーザと前記対物レンズとの間の光路内を挿脱するように該スライド板を介して前記第１停止位置又は前記第２停止位置に位置決めされる光学部品と、
前記軸部にリング部が挿入され、このリング部の両端から延出させた一端部及び他端部を前記欠歯歯車及び前記回動アームに掛止させて、前記スライド板が前記第１又は第２ストッパに当接したときに該スライド板を前記第１又は第２ストッパ側にそれぞれ押圧する捩じりバネと、
を備えたことを特徴とする光ピックアップ装置。
【請求項２】
前記欠歯歯車と前記回動アームとを同軸的に別体形成した場合には、前記欠歯歯車の中心孔内に前記回動アームの中心孔の外側に同心で筒状にした筒部を回動方向に対して僅かな隙間を持たせて回り止めして嵌合させ、且つ、前記回動アームの中心孔内に前記軸部を嵌合させたことを特徴とする請求項１記載の光ピックアップ装置。
【請求項３】
前記欠歯歯車と前記回動アームとを同軸的に一体形成した場合には、前記回転駆動源と前記欠歯歯車との間を全て平歯車伝達とすることを特徴とする請求項１記載の光ピックアップ装置。
【請求項４】
前記スライド板に一体的に固着した前記光学部品は、前記半導体レーザから出射させた前記レーザ光の光量を減衰させるＮＤフィルタであることを特徴とする請求項１〜３のうちいずれか１項記載の光ピックアップ装置。
【発明の詳細な説明】
【技術分野】
【０００１】
本発明は、半導体レーザから出射させたレーザ光を対物レンズを介して少なくとも１種類以上の光記録媒体に照射して情報信号を記録又は再生する光ピックアップ装置において、半導体レーザと対物レンズとの間の光路内に、ＮＤフィルタや、波長板又は位相板や、液晶板や、ミラーなどの光学部品を挿脱（進退）できる具体的な構造形態を備えた光ピックアップ装置に関するものである。
【背景技術】
【０００２】
一般的に、円盤状の光ディスクやカード状の光カードなどの光記録媒体は、映像情報とか音声情報やコンピュータデータなどの情報信号を透明基板上で螺旋状又は同心円状に形成したトラックに高密度に記録し、且つ、記録済みのトラックを再生する際に所望のトラックを高速にアクセスできることから多用されている。
【０００３】
この種の光記録媒体となる光ディスクとして例えばＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などは既に市販され、最近では、より一層高密度化を図った２種類の高密度光記録媒体が流通している。
【０００４】
即ち、２種類の高密度光記録媒体は、Ｂｌｕ−ｒａｙ  Ｄｉｓｃ及びＨＤ−ＤＶＤ（Ｈｉｇｈ  Ｄｅｆｉｎｉｔｉｏｎ  ＤＶＤ）である。
【０００５】
まず、上記したＣＤは、波長が７８５ｎｍ前後のレーザ光を開口数（ＮＡ）が０．４５〜０．５程度の対物レンズで絞って得たレーザビームを照射して、レーザビーム入射面から１．２ｍｍ隔てた位置にある信号面に情報信号が記録され、記録済みの情報信号を再生している。
【０００６】
また、上記したＤＶＤは、波長が６６０ｎｍ前後のレーザ光を開口数（ＮＡ）が０．６から０．６５程度の対物レンズで絞って得たレーザビームを照射して、レーザビーム入射面から０．６ｍｍ隔てた位置にある信号面に情報信号が記録され、記録済みの情報信号を再生している。この際、ＤＶＤの記録容量はＣＤよりも６〜８倍高めてディスク基板の直径が１２ｃｍの時に片面で４．７ＧＢ（ギガバイト）程度である。
【０００７】
また、上記したＢｌｕ−ｒａｙ  Ｄｉｓｃは、波長が４０５ｎｍ前後のレーザ光を開口数（ＮＡ）が０．８５程度の対物レンズで絞って得たレーザビームを照射して、レーザビーム入射面から０．１ｍｍ隔てた位置にある信号面に情報信号が記録され、記録済みの情報信号を再生している。この際、Ｂｌｕ−ｒａｙ  Ｄｉｓｃの記録容量はＤＶＤよりも５倍高めてディスク基板の直径が１２ｃｍの時に片面で２５ＧＢ（ギガバイト）程度である。
【０００８】
また、上記したＨＤ−ＤＶＤは、波長が４０５ｎｍ前後のレーザ光を開口数（ＮＡ）が０．６５程度の対物レンズで絞って得たレーザビームを照射して、レーザビーム入射面から０．６ｍｍ隔てた位置にある信号面に情報信号が記録され、記録済みの情報信号を再生している。この際、ＨＤ−ＤＶＤの記録容量はＤＶＤよりも３倍高めてディスク基板の直径が１２ｃｍの時に片面で１５ＧＢ（ギガバイト）程度である。
【０００９】
そして、上記のような複数種の光記録媒体に対して選択的に記録又は再生をする光ディスク装置として、開口数（ＮＡ）の異なる２つの対物レンズを備え、各対物レンズを各光記録媒体に対応して選択的に切り換えるように構成した光ディスク装置がある（例えば、特許文献１及び特許文献２参照）。
【００１０】
この際、各種の光記録媒体に対して記録又は再生をする場合に、一般的に、情報信号の記録時には半導体レーザから出射されるレーザ光のレーザパワーを大きく設定し、一方、情報信号の再生時には半導体レーザから出射されるレーザ光のレーザパワーを小さく設定しなければならないが、再生時にレーザ光のレーザパワーを小さくすると、とくにレーザ光の波長が短い場合にレーザノイズが発生し易くなるので、再生時にレーザノイズを低減するために半導体レーザからレーザパワーを強めたまま出射させたレーザ光の光量を減衰させるためのＮＤフィルタを半導体レーザの前方の光路内に挿脱自在に設け、再生時のみＮＤフィルタを光路内に挿入させるように構成した光ピックアップ装置又は光ディスク装置がある（例えば、特許文献３及び特許文献４参照）。
【特許文献１】特開２００４−３１８９７３号公報
【特許文献２】特開平８−２１２５７４号公報
【特許文献３】特開平６−１３１６８３号公報
【特許文献４】特開２００２−１５０６０１号公報
【発明の開示】
【発明が解決しようとする課題】
【００１１】
ところで、上記した特許文献１又は特許文献２の技術的思想を適用すれば、複数種の光記録媒体に対して選択的に記録又は再生をすることができ、これらに特許文献３又は特許文献４の技術的思想を追加して組み合わせれば、再生時にＮＤフィルタを光路内に挿入（進入）させることで、半導体レーザから出射されるレーザ光のレーザパワーを小さく設定する必要がなくなるために、レーザノイズの低減を図れるものの、ＮＤフィルタなどの光学部品を半導体レーザと対物レンズとの間の光路内に挿脱（進退）自在に設ける具体的な構造形態については上記した特許文献３又は特許文献４に開示されていない。
【００１２】
そこで、半導体レーザから出射させたレーザ光を対物レンズを介して少なくとも１種類以上の光記録媒体に照射して情報信号を記録又は再生する光ピックアップ装置において、半導体レーザと対物レンズとの間の光路内に、ＮＤフィルタや、波長板又は位相板や、液晶板や、ミラーなどの光学部品を挿脱（進退）できる具体的な構造形態を備えた光ピックアップ装置が望まれている。
【課題を解決するための手段】
【００１３】
本発明は上記課題に鑑みてなされたものであり、請求項１記載の発明は、半導体レーザから出射させたレーザ光を対物レンズを介して少なくとも１種類以上の光記録媒体に照射して情報信号を記録又は再生する光ピックアップ装置において、
前記光記録媒体の径方向に移動自在に設けられ、且つ、前記半導体レーザと、複数の光学部品と、前記対物レンズとを搭載した光ピックアップベースと、
前記光ピックアップベースに取り付けられ、且つ、回転駆動源によって回転する歯車と、
前記光ピックアップベースに取り付けられ、且つ、前記歯車と噛合する歯車部と、この歯車部の両側を欠歯してそれぞれ形成された第１，第２欠歯部とを有する欠歯歯車と、
前記欠歯歯車と一体となって前記光ピックアップベースに植設した軸部を中心して所定の角度回動可能に設けられ、且つ、係合部を形成した回動アームと、
前記回動アームの係合部と係合する非係合部を有し、且つ、前記光ピックアップベースに間隔を離して形成した第１，第２ストッパにそれぞれ当接する第１，第２停止位置間をガイド部材により直線移動可能に案内されており、前記歯車が前記欠歯歯車の歯車部に噛合して該欠歯歯車が回転している最中には前記回動アームを介して前記ガイド部材に沿って直線移動するも、前記歯車が前記欠歯歯車の第１又は第２欠歯部と対向した時に第１又は第２停止位置で停止するスライド板と、
前記スライド板に一体的に固着され、且つ、前記半導体レーザと前記対物レンズとの間の光路内を挿脱するように該スライド板を介して前記第１停止位置又は前記第２停止位置に位置決めされる光学部品と、
前記軸部にリング部が挿入され、このリング部の両端から延出させた一端部及び他端部を前記欠歯歯車及び前記回動アームに掛止させて、前記スライド板が前記第１又は第２ストッパに当接したときに該スライド板を前記第１又は第２ストッパ側にそれぞれ押圧する捩じりバネと、
を備えたことを特徴とする光ピックアップ装置である。
【００１４】
また、請求項２の発明は、請求項１記載の光ピックアップ装置において、
前記欠歯歯車と前記回動アームとを同軸的に別体形成した場合には、前記欠歯歯車の中心孔内に前記回動アームの中心孔の外側に同心で筒状にした筒部を回動方向に対して僅かな隙間を持たせて回り止めして嵌合させ、且つ、前記回動アームの中心孔内に前記軸部を嵌合させたことを特徴とする光ピックアップ装置である。
【００１５】
また、請求項３記載の発明は、請求項１記載の光ピックアップ装置において、
前記欠歯歯車と前記回動アームとを同軸的に一体形成した場合には、前記回転駆動源と前記欠歯歯車との間を全て平歯車伝達とすることを特徴とする光ピックアップ装置である。
【００１６】
更に、請求項４の発明は、請求項１〜３のうちいずれか１項記載の光ピックアップ装置おいて、
前記スライド板に一体的に固着した前記光学部品は、前記半導体レーザから出射させた前記レーザ光の光量を減衰させるＮＤフィルタであることを特徴とする光ピックアップ装置である。
【発明の効果】
【００１７】
請求項１記載の光ピックアップ装置によると、スライド板に一体的に取り付けた光学部品を半導体レーザと対物レンズとの間の光路内で挿脱する際に、光ピックアップベースに取り付けた駆動源によって回転する歯車と、この歯車に噛合する欠歯歯車と、欠歯歯車と一体となって光ピックアップベースに植設した軸部を中心して所定の角度回動可能な回動アームと、光学部品を一体的に固着し且つ回動アームに係合しながらガイド部材に案内されて光ピックアップベースに間隔を離して形成した第１，第２ストッパにそれぞれ当接する第１，第２停止位置間を直線移動するスライド板と、欠歯歯車及び回動アームに掛止された捩じりバネとの作用により、光学部品をスライド板を介して第１又は第２停止位置に確実に位置決めすることができると共に、スライド板が第１又は第２停止位置に至った時に回転駆動源側の歯車が欠歯歯車の第１又は第２欠歯部と対向するので、回転駆動源側の歯車は第１又は第２欠歯部に対して空回りすることで、回転駆動源となるモータはモータロックすることがないためにモータ軸の焼付けが生じない。
【００１８】
また、請求項２記載の光ピックアップ装置によると、欠歯歯車と回動アームとを同軸的に別体形成した場合には、請求項１記載の効果が得られる他に、欠歯歯車と回動アームとの間に生じた回動方向の僅かな隙間により回動アームのみが欠歯歯車に対して軸部を中心にして僅かに回動する態様を取るので、捩じりバネの付勢力で回動アームを介してスライド板を第１又は第２ストッパ側にそれぞれ確実に押圧できると共に、回転駆動源となるモータにウォーム取り付けた場合にウォームと歯車との間でかじりが生じない。
【００１９】
また、請求項３記載の光ピックアップ装置によると、欠歯歯車と回動アームとを同軸的に一体形成した場合には、請求項１記載の効果が得られる他に、回転駆動源から欠歯歯車までの回転伝達機構が平歯車伝達により簡単な構造になると共に、欠歯歯車と回動アームとを一体形成しているので部品点数を削減できる。
【００２０】
更に、請求項４記載の光ピックアップ装置によると、スライド板に一体的に固着した光学部品は、半導体レーザから出射させたレーザ光の光量を減衰させるＮＤフィルタであるので、例えば高密度光記録媒体を再生する場合に、半導体レーザからレーザ光を強いレーザパワーで出射させてレーザノイズの発生を抑えながらＮＤフィルタでレーザ光の光量を減衰させて高密度光記録媒体に照射することができる。
【発明を実施するための最良の形態】
【００２１】
以下に本発明に係る光ピックアップ装置の一実施例について図１〜図１０を参照して、実施例１，実施例２の順に詳細に説明する。
【実施例１】
【００２２】
図１は本発明に係る実施例１の光ピックアップ装置を適用した光ディスク装置を示した斜視図、
図２は図１に示した光ピックアップベースの内部を裏面側から見た斜視図、
図３は本発明に係る実施例１の光ピックアップ装置内の光学部品構成を示した構成図、
図４は本発明に係る実施例１の光ピックアップ装置を適用した光ディスク装置を示した平面図であり、（ａ）は第１対物レンズが第１記録再生位置に至った状態を示し、（ｂ）は第２対物レンズが第２記録再生位置に至った状態を示した図である。
【００２３】
図１に示した如く、本発明に係る実施例１の光ピックアップ装置２０Ａでは、高密度光記録媒体として２つの規格によるＢｌｕ−ｒａｙ  Ｄｉｓｃ，ＨＤ−ＤＶＤが流通し始めていることと、既に多くが出回っているＤＶＤ又はＣＤの資産も活用できるようにするために、Ｂｌｕ−ｒａｙ  Ｄｉｓｃ，ＤＶＤ，ＣＤを含む３種類、又は、Ｂｌｕ−ｒａｙ  Ｄｉｓｃ，ＨＤ−ＤＶＤ，ＤＶＤを含む３種類、もしくは、Ｂｌｕ−ｒａｙ  Ｄｉｓｃ，ＨＤ−ＤＶＤ，ＤＶＤ，ＣＤを含む４種の光記録媒体に対して記録又は再生をすることができるように構成されている。
【００２４】
以下、実施例１について具体的に説明に説明すると、図１に示した如く、本発明に係る実施例１の光ピックアップ装置２０Ａを適用した光ディスク装置１０Ａにおいて、不図示の筺体内には、複数種の光ディスク１〜４を選択的に搭載して回転駆動するスピンドルモータ１１が取り付けられている。
【００２５】
また、スピンドルモータ１１の右方には、複数種の光ディスク１〜４に対して選択的に記録又は再生をするために実施例１の光ピックアップ装置２０Ａが不図示の筺体内で所定の間隔を離して互いに平行に設置した２本のガイドシャフト１２，１３に沿って光ディスク１〜４の径方向となる矢印Ｘ１，Ｘ２方向に直線移動自在に設けられている。
【００２６】
上記した実施例１の光ピックアップ装置２０Ａは、基台となる光ピックアップベース２１Ａがアルミダイキャスト材を用いて箱状に形成されており、この光ピックアップベース２１Ａのうちでガイドシャフト１２側に不図示のナット部材が取り付けられて、このナット部材が不図示のモータに固着したリードスクリューに螺合しているので、光ピックアップベース２１Ａが矢印Ｘ１，Ｘ２方向に直線移動可能となっている。
【００２７】
また、光ピックアップベース２１Ａには、複数種の光ディスク１〜４に対応して複数種の第１〜第３半導体レーザや複数の光学部品が取り付けられている。この際、複数種の光ディスク１〜４としては、例えば、Ｂｌｕ−ｒａｙ  Ｄｉｓｃと、ＨＤ−ＤＶＤと、ＤＶＤと、ＣＤとの４種類が対応可能になっており、これに伴って、図２にも示したように、箱状に形成した光ピックアップベース２１Ａには、Ｂｌｕ−ｒａｙ  Ｄｉｓｃ用及びＨＤ−ＤＶＤ用として波長λが４０５ｎｍ前後のレーザ光を出射する第１半導体レーザ２２と、ＤＶＤ用として波長λが６５０ｎｍ前後のレーザ光を出射する第２半導体レーザ４２と、ＣＤ用として波長λが７８０ｎｍ前後のレーザ光を出射する第３半導体レーザ５１とが取り付けられている。
【００２８】
そして、第１〜第３半導体レーザ２２，４２，５１から出射された各レーザ光を立ち上げミラー３０を介して光ピックアップベース２１Ａの上面２１ａ側に出射させた後に各レーザ光を図１に示した第１対物レンズ組立体３２側又は第２対物レンズ組立体３６側に選択的に導いている。
【００２９】
ここで、実施例１の光ピックアップ装置２０Ａ内の光学部品構成について説明すると、図３に示したように、実施例１の光ピックアップ装置２０Ａでは、Ｂｌｕ−ｒａｙ  Ｄｉｓｃ１に対して記録又は再生をする光学系と、ＨＤ−ＤＶＤ２に対して記録又は再生をする光学系と、ＤＶＤ３に対して記録又は再生をする光学系と、ＣＤ４に対して記録又は再生をする光学系とが用意されている。
【００３０】
この際、Ｂｌｕ−ｒａｙ  Ｄｉｓｃ用の光学系とＨＤ−ＤＶＤ用の光学系は、前述したように使用するレーザ光の波長が同じである一方、対物レンズの開口数（ＮＡ）が異なるので、両者は対物レンズの前まで光学系を共用している。
【００３１】
まず、Ｂｌｕ−ｒａｙ  Ｄｉｓｃ用の光学系とＨＤ−ＤＶＤ用の光学系とについて説明すると、Ｂｌｕ−ｒａｙ  Ｄｉｓｃ用及びＨＤ−ＤＶＤ用となる第１半導体レーザ２２は、波長λ１が４０５ｎｍ前後の第１レーザ光Ｌ１を、ガイドシャフト２３に沿って直線移動するスライド板２４に一体的に取り付けたガラス板２５中の透明ガラス部２５ａ及びＮＤフィルタ部２５ｂのいずれか一方に向かって出射し、この後、第１グレーティング２６側に出射している。
【００３２】
この際、スライド板２４に一体的に取り付けたガラス板２５中の透明ガラス部２５ａ及びＮＤフィルタ部２５ｂは、後述するＮＤフィルタ切り換え機構部７０中の回動アーム７７によって、第１半導体レーザ２２から出射した第１レーザ光Ｌ１の光路内に挿脱（進退）自在に設けられている。
【００３３】
そして、ＮＤフィルタ切り換え機構部７０の回動アーム７７を回動させて、Ｂｌｕ−ｒａｙ  Ｄｉｓｃ１又はＨＤ−ＤＶＤ２の記録時に、ガラス板２５中の透明ガラス部２５ａを第１レーザ光Ｌ１の光路内に挿入することで、第１半導体レーザ２２から出射した第１レーザ光Ｌ１を強いレーザパワーまま透明ガラス部２５ａを透過させるようになっている。
【００３４】
一方、Ｂｌｕ−ｒａｙ  Ｄｉｓｃ１又はＨＤ−ＤＶＤ２の再生時に、ガラス板２５中のＮＤフィルタ部２５ｂを第１レーザ光Ｌ１の光路内に挿入することで、第１半導体レーザ２２から出射した第１レーザ光Ｌ１の強いレーザパワーをＮＤフィルタ部２５ｂで減衰させることで、再生時にレーザノイズが発生し易い第１レーザ光Ｌ１の弱いレーザパワーを使用しなくてすむようになっている。
【００３５】
尚、この実施例１の要部となるＮＤフィルタ切り換え機構部７０については後で詳述する。
【００３６】
また、上記した第１グレーティング２６は、Ｂｌｕ−ｒａｙ  Ｄｉｓｃ１，ＨＤ−ＤＶＤ２を選択的に記録又は再生する際のトラック位置を検出するために、第１半導体レーザ２２から出射した第１レーザ光Ｌ１をメインビームと一対のサブビームとからなる３ビームに分岐する機能を備えており、第１レーザ光Ｌ１から分岐した３ビームを第１偏光ビームスプリッタ２７側に向かって出射している。
【００３７】
上記した第１偏光ビームスプリッタ２７は、偏光選択性半透過／反射誘電体多層膜２７ａを内部に備え、この偏光選択性半透過／反射誘電体多層膜２７ａによって第１半導体レーザ２２から出射された第１レーザ光Ｌ１のうちで往路のｐ偏光光を透過する一方、Ｂｌｕ−ｒａｙ  Ｄｉｓｃ１又はＨＤ−ＤＶＤ２で反射された復路のｓ偏光光を反射するものであり、偏光選択性半透過／反射誘電体多層膜２７ａを透過した第１レーザ光Ｌ１の３ビームを第１コリメータレンズ２８側に向かって出射している。
【００３８】
上記した第１コリメータレンズ２８は例えばステッピングモータや超音波モータなどによる不図示のコリメータレンズ移動機構部を備えて第１レーザ光Ｌ１の光軸ＯＡに沿って移動可能に設けられており、Ｂｌｕ−ｒａｙ  Ｄｉｓｃ１又はＨＤ−ＤＶＤ２の設計基準値に対する基板厚さ誤差や、第１レーザ光Ｌ１の設計基準値に対する波長誤差などに応じて、球面収差を最良にするように移動して、この第１コリメータレンズ２８を通過した第１レーザ光Ｌ１の３ビームを第１ダイクロイックプリズム２９側に向かって出射している。
【００３９】
上記した第１ダイクロイックプリズム２９は、波長選択性半透過／反射誘電体多層膜２９ａを内部に備え、この波長選択性半透過／反射誘電体多層膜２９ａによって波長λ１が４０５ｎｍ前後の第１レーザ光Ｌ１を透過させる一方、後述するＤＶＤ用として波長λ２が６６０ｎｍ前後の第２レーザ光Ｌ２及びＣＤ用として波長λ３が７８５ｎｍ前後の第３レーザ光Ｌ３を反射させるものであるので、第１レーザ光Ｌ１と第２，第３レーザ光Ｌ２，Ｌ３とを分岐するための光路分岐用光学素子であり、この第１ダイクロイックプリズム２９は第１レーザ光Ｌ１と、第２，第３レーザ光Ｌ２，Ｌ３とが交差する光軸ＯＡ上に設置されている。
【００４０】
そして、第１ダイクロイックプリズム２９を透過した第１レーザ光Ｌ１、又は、第１ダイクロイックプリズム２９で反射された第２レーザ光Ｌ２、もしくは、第１ダイクロイックプリズム２９で反射された第３レーザ光Ｌ３を立ち上げミラー３０側に向かってそれぞれ出射している。
【００４１】
上記した立ち上げミラー３０は、第１レーザ光Ｌ１及び第２レーザ光Ｌ２並びに第３レーザ光Ｌ３を共に反射し、各光束の方向を略９０°曲げて上方の１／４波長板３１側に導いている。
【００４２】
上記した１／４波長板３１は、波長λ１の第１レーザ光Ｌ１に対して（λ１）／４の位相差を与え、且つ、波長λ２の第２レーザ光Ｌ２に対して（λ２）／４の位相差を与え、且つ、波長λ３の第３レーザ光Ｌ３に対して（λ３）／４の位相差を与えるものであり、１／４波長板３１を通過した第１〜第３レーザ光Ｌ１〜Ｌ３をＢｌｕ−ｒａｙ  Ｄｉｓｃ１，ＨＤ−ＤＶＤ２，ＤＶＤ３，ＣＤ４に応じて下記する第１対物レンズ組立体３２又は第２対物レンズ組立体３６側に選択的に入射させている。
【００４３】
ここで、第１対物レンズ組立体３２は、第１レンズホルダ３３内の下方に収納される第１開口制限素子３４と上方に収納される第１対物レンズ３５とからなる。一方、第２対物レンズ組立体３６は、第２レンズホルダ３７内の下方に収納される第２開口制限素子３８と上方に収納される第２対物レンズ３９とからなる。
【００４４】
この際、第１対物レンズ組立体３２内の第１開口制限素子３４は、Ｂｌｕ−ｒａｙ  Ｄｉｓｃ１に対して第１対物レンズ３５の開口数（ＮＡ）を０．８５相当に制限するものである。
【００４５】
一方、第２対物レンズ組立体３６内の第２開口制限素子３８は、ＨＤ−ＤＶＤ２及びＤＶＤ３に対して第２対物レンズ３９の開口数（ＮＡ）を０．６５相当に制限し、且つ、ＣＤ４に対して第２対物レンズ３９の開口数（ＮＡ）を０．５相当に制限するものである。
【００４６】
尚、第１，第２対物レンズ組立体３２，３６では、第１，第２レンズホルダ３３，３７と一体に第１，第２対物レンズ３５，３９が不図示の各アクチュエータによって光ディスク１〜４に対してフォーカス方向及びトラッキング方向に制御されている。
【００４７】
そして、第１，第２対物レンズ組立体３２，３６は、モータなどの駆動力を用いた対物レンズ切り換え機構部６０によって光軸ＯＡの光路内に選択的に挿脱可能に構成されており、Ｂｌｕ−ｒａｙ  Ｄｉｓｃ１に対して記録又は再生をする場合に第１対物レンズ組立体３２が光軸ＯＡの光路内に挿入され、一方、ＨＤ−ＤＶＤ２，ＤＶＤ３及びＣＤ４に対して記録又は再生をする場合に第２対物レンズ組立体３６が光軸ＯＡの光路内に挿入されるようになっているが、対物レンズ切り換え機構部６０については後で述べる。
【００４８】
次に、Ｂｌｕ−ｒａｙ  Ｄｉｓｃ１又はＨＤ−ＤＶＤ２からの各戻り光を検出するための第１検出レンズ４０は、第１偏光ビームスプリッタ２７側の面がシリンドリカル面、反対側が凹状の球面に形成されている。また、第１光検出器４１はＢｌｕ−ｒａｙ  Ｄｉｓｃ１又はＨＤ−ＤＶＤ２からの各戻り光を受光して電気信号に変換するものである。
【００４９】
次に、ＤＶＤ用となる第２半導体レーザ４２は、波長λ２が６６０ｎｍ前後の第２レーザ光Ｌ２を第２グレーティング４３側に向かって出射している。上記した第２グレーティング４３は、ＤＶＤ３に対して記録又は再生をする際のトラック位置を検出するために、第２半導体レーザ４２から出射した第２レーザ光Ｌ２を３ビームに分岐する機能を備えており、第２レーザ光Ｌ２から分岐した３ビームを第２偏光ビームスプリッタ４４側に向かって出射している。
【００５０】
上記した第２偏光ビームスプリッタ４４は、偏光選択性半透過／反射誘電体多層膜４４ａを内部に備え、この偏光選択性半透過／反射誘電体多層膜４４ａによって波長λ２が６６０ｎｍ前後の第２レーザ光Ｌ２を７５％透過し、２０％を反射するものであり、透過した第２レーザ光Ｌ２を第２ダイクロイックプリズム４５側に向かって出射している。
【００５１】
上記した第２ダイクロイックプリズム４５は、波長選択性半透過／反射誘電体多層膜４５ａを備え、この波長選択性半透過／反射誘電体多層膜４５ａによって第２レーザ光Ｌ２を透過し、且つ、第３レーザ光Ｌ３を反射するものであるので、第２レーザ光Ｌ２と第３レーザ光Ｌ３とを分岐するための光路分岐用光学素子であり、第２ダイクロイックプリズム４５を通過した第２，第３レーザ光Ｌ２，Ｌ３を第２コリメータレンズ４６側に向かって出射している。
【００５２】
上記した第２コリメータレンズ４６は、波長λ２が６６０ｎｍ前後の第２レーザ光Ｌ２を略平行光に変換し、且つ、波長λ３が７８５ｎｍ前後の第３レーザ光Ｌ３を発散光に変換するために固定設置されているものであり、第２コリメータレンズ４６を通過した第２，第３レーザ光Ｌ２，Ｌ３を先に説明した第１ダイクロイックプリズム２９側に向かって出射している。
【００５３】
次に、ＤＶＤ３からの戻り光を検出するための第２検出レンズ４７は、第２偏光ビームスプリッタ４４側がシリンドリカル面、反対側が凹状の球面に形成されている。また、第２光検出器４８はＤＶＤ３からの戻り光を受光して電気信号に変換するものである。
【００５４】
次に、ホログラムデバイス組立体５０はＣＤ４に対して記録又は再生をするためのものであり、ＣＤ用となる第３半導体レーザ５１と、第３グレーティング５２と、ホログラム５３と、第３光検出器５４とが一体的に集積されている。第３半導体レーザ５１は設計波長λ３が７８５ｎｍ前後の第３レーザ光Ｌ３を出射する。また、第３グレーティング５２は、ＣＤ４に対して記録又は再生をする際のトラック位置を検出するために、第３半導体レーザ５１から出射した第３レーザ光Ｌ３を３ビームに分岐するものである。また、ホログラム５３はＣＤ４からの戻り光を第３光検出器５４へ導くための素子である。
【００５５】
尚、Ｂｌｕ−ｒａｙ  Ｄｉｓｃ１，ＨＤ−ＤＶＤ２，ＤＶＤ３の３種類の組み合わせの場合には、ＣＤ４に対して記録又は再生をするためのホログラムデバイス組立体５０と、第２レーザ光Ｌ２と第３レーザ光Ｌ３とを分岐するための第２ダイクロイックプリズム４５とを省けば良いものである。
【００５６】
再び図１に戻り、光ピックアップベース２１Ａの上面２１ａ上には、対物レンズ切り換え機構部６０の基台となる対物レンズ直線移動体６１の一端側が光ピックアップベース２１Ａ上に２本のネジ６２を介して取り付けたガイドシャフト６３によって光ディスク１〜４の径方向と直交した接線方向となる矢印Ｙ１，Ｙ２方向に案内され、且つ、対物レンズ直線移動体６１の他端側が光ピックアップベース２１Ａの上面２１ａに形成したガイドレール２１ｂに案内されていると共に、この対物レンズ直線移動体６１に一体的に取り付けたナット部材６４のナット部６４ａが光ピックアップベース２１Ａ上にモータブラケット６５を介して取り付けられたステッピングモータ６６の軸に固着したリードスクリュー６７に螺合していているので、ステッピングモータ６６をパルス駆動することでリードスクリュー６７の回転に伴ってナット部材６４と一体に対物レンズ直線移動体６１が矢印Ｙ１，Ｙ２方向に直線移動可能となっている。
【００５７】
更に、対物レンズ直線移動体６１上には、実施例１の光ピックアップ装置２０Ａを構成する構成部材として、Ｂｌｕ−ｒａｙ  Ｄｉｓｃ１に対応して開口数（ＮＡ）が０．８５程度の第１対物レンズ３５を内蔵した第１対物レンズ組立体３２が取り付けられ、且つ、ＨＤ−ＤＶＤ２及びＤＶＤ３並びにＣＤ４に対応して開口数（ＮＡ）が０．６５程度の第２対物レンズ３９を内蔵した第２対物レンズ組立体３６が取り付けられている。
【００５８】
この際、第１，第２対物レンズ組立体３２，３６同士は、矢印Ｙ１，Ｙ２方向に沿って互いに対向していると共に、第１，第２対物レンズ３５，３９は、第１，第２対物レンズ組立体３２，３６内に取り付けた不図示の各アクチュエータによって光ディスク１〜４に対してフォーカス方向及びトラッキング方向に揺動自在に制御されるようになっている。
【００５９】
ここで、複数種の光ディスク１〜４に対して選択的に記録又は再生をするには、光ディスク１〜４の種類に対応して第１対物レンズ３５又は第２対物レンズ３９を光ディスク１〜４の中心を通り且つ２本のガイドシャフト１２，１３と平行な仮想中心線Ｋに沿って移動できるように第１対物レンズ３５又は第２対物レンズ３９の各記録再生位置を切り換える必要がある。
【００６０】
これに伴って、光ピックアップベース２１Ａの上面２１ａ上の左右には、対物レンズ直線移動体６１上に取り付けた第１，第２対物レンズ組立体３２，３６を第１，第２記録再生位置にそれぞれ位置決めするための第１，第２ストッパ用ボス部２１ｃ，２１ｄが一軸方向となる矢印Ｙ１，Ｙ２方向に所定の間隔を離して設けられている。
【００６１】
従って、図４（ａ）に示した如く、対物レンズ直線移動体６１をガイドシャフト６３及び光ピックアップベース２１Ａのガイドレール２１ｂに沿って矢印Ｙ１方向に移動させて、対物レンズ直線移動体６１の右側部を第１ストッパ用ボス部２１ｃに当接させると、第１対物レンズ組立体３２内の第１対物レンズ３５が前記した仮想中心線Ｋ上に位置するので、第１対物レンズ３５が第１記録再生位置に至り、この第１記録再生位置で第１対物レンズ３５によりＢｌｕ−ｒａｙ  Ｄｉｓｃ１に対して記録又は再生をすることができる。
【００６２】
一方、図４（ｂ）に示した如く、対物レンズ直線移動体６１をガイドシャフト６３及び光ピックアップベース２１Ａのガイドレール２１ｂに沿って上記とは逆に矢印Ｙ２方向に移動させて、対物レンズ直線移動体６１の左側部を第２ストッパ用ボス部２１ｄに当接させると、第２対物レンズ組立体３６内の第２対物レンズ３９が前記した仮想中心線Ｋ上に位置するので、第２対物レンズ３９が第２記録再生位置に至り、この第２記録再生位置で第２対物レンズ３９によりＨＤ−ＤＶＤ２及びＤＶＤ３並びにＣＤ４に対して記録又は再生をすることができる。
【００６３】
この際、対物レンズ直線移動体６１は、図４（ａ）に示した第１記録再生位置と、図４（ｂ）に示した第２記録再生位置との間で、ステッピングモータ６６（図１）のパルス数を計数することで、第１，第２記録再生位置に停止するようになっている。
【００６４】
次に、実施例１の要部となるＮＤフィルタ切り換え機構部の構成について、先の図２と、新たな図５及び図６とを用いて説明する。
【００６５】
図５は本発明に係る実施例１の光ピックアップ装置において、ＮＤフィルタ切り換え機構部を分解して示した分解斜視図、
図６は図５に示したＮＤフィルタ切り換え機構部中で、捩じりバネと、欠歯歯車と、回動アームとを分解して示した分解斜視図である。
【００６６】
図２に示した如く、実施例１の要部となるＮＤフィルタ切り換え機構部７０は、箱状に形成した光ピックアップベース２１Ａの内部で半導体レーザ取り付け用壁部２１ｅに取り付けた第１半導体レーザ２２と対応して設けられており、言い換えると、Ｂｌｕ−ｒａｙ  Ｄｉｓｃ１及びＨＤ−ＤＶＤ２の光学系内に設けられている。
【００６７】
上記したＮＤフィルタ切り換え機構部７０を図５に分解して示すと、光ピックアップベース２１Ａの上面２１ａの裏面２１ｆに、回転駆動源となるＤＣモータ７１の軸にウォーム７２を固着した状態で、このＤＣモータ７１がモータブラケット７３を介して取り付けられている。
【００６８】
また、ＤＣモータ７１の軸に固着したウォーム７２の近傍に、２段歯車７４が光ピックアップベース２１Ａの裏面２１ｆに植設した軸部２１ｇを中心にして回転自在に設けられており、この２段歯車７４はウォーム７２に噛合するハスバ歯車部７４ａと、下記する欠歯歯車７６の平歯車部７６ｃに噛合する平歯車部７４ｂとが上段と下段とに分かれて同心で一体的に形成されている。
【００６９】
また、光ピックアップベース２１Ａの裏面２１ｆに植設した軸部２１ｇの近傍にも軸部２１ｈが植設されており、且つ、捩じりバネ７５の一端部７５ｂ及び他端部７５ｃによって欠歯歯車７６と回動アーム７７とが同心的となるように共に付勢された状態で欠歯歯車７６と回動アーム７７とが一体的に上記した軸部２１ｈに軸着されており、欠歯歯車７６は光ピックアップベース２１Ａの裏面２１ｆ側に配置され、この欠歯歯車７６の上方に回動アーム７７が配置されている。
【００７０】
ここで、捩じりバネ７５と、欠歯歯車７６と、回動アーム７７とを更に図６に拡大して示すと、捩じりバネ７５は線材を用いて形成されており、リング部７５ａと、リング部７５ａの両端から上方に向かってコ字状に突出させた一端部７５ｂ及び他端部７５ｃとを備えている。
【００７１】
また、欠歯歯車７６は樹脂材を用いて形成されており、中心孔７６ａと、中心孔７６ａに連接して形成した回り止め溝部７６ｂと、中心孔７６ａと同心で外周に形成した平歯車部７６ｃと、平歯車部７６ｃの両側を欠歯してそれぞれ形成した第１，第２欠歯部７６ｄ，７６ｅと、平歯車部７６ｃと中心孔７６ａを介して対向した側に所定の間隔を隔てて形成した第１，第２凹状バネ掛止部７６ｆ，７６ｇとを備えている。
【００７２】
更に、回動アーム７７も樹脂材を用いて形成されており、中心孔７７ａと、中心孔７７ａの外側に同心で筒状にした筒部７７ｂと、筒部７７ｂの下端に突出形成した回り止め部７７ｃと、欠歯歯車７６の第１，第２凹状バネ掛止部７６ｆ，７６ｇと位置を合わせて所定の間隔を隔てて形成した第１，第２凹状バネ掛止部７７ｄ，７７ｅと、第１，第２凹状バネ掛止部７７ｃ，７７ｄとの間で上方に向かって突出形成した係合用ボス部（係合部）７７ｆとを備えている。
【００７３】
ここでは、欠歯歯車７６の中心孔７６ａ内に回動アーム７７の筒部７７ｂが嵌合し、且つ、欠歯歯車７６の回り止め溝部７６ｂ内に回動アーム７７の回り止め部７７ｃが回動方向に対して僅かな隙間を持って嵌入していると共に、回動アーム７７の中心孔７７ａが上記した軸部２１ｈに軸着されているので、欠歯歯車７６と回動アーム７７とが回り止めされた状態で軸部２１ｈを中心にして一体に所定の角度回動する第１態様と、欠歯歯車７６の回り止め溝部７６ｂと回動アーム７７の回り止め部７７ｃとの間に生じた回動方向の僅かな隙間により回動アーム７７のみが欠歯歯車７６に対して軸部２１ｈを中心にして僅かに回動する第２態様とを取り得るようになっている。
【００７４】
また、捩じりバネ７５のリング部７５ａは光ピックアップベース２１Ａ内に植設した軸部２１ｈに挿入されていると共に、捩じりバネ７５の一端部７５ｂ及び他端部７５ｃが欠歯歯車７６の下方からここに形成した第１，第２凹状バネ掛止部７６ｆ，７６ｇに掛止されながら上方の回動アーム７７に形成した第１，第２凹状バネ掛止部７７ｄ，７７ｅに掛止されており、この際、捩じりバネ７５の一端部７５ｂ及び他端部７５ｃの各付勢力Ｆ１，Ｆ２が互いに外側に向かって付与されるようになっている。
【００７５】
尚、上記では、欠歯歯車７６と回動アーム７７とを別体に形成して両者を捩じりバネ７５で付勢しているが、これにより捩じりバネ７５の付勢力でＤＣモータ７１の軸に固着したウォーム７２と２段歯車７４とによるかじりが生じるのを防止できるものであるが、ウォーム７２を使用せずに、回転駆動源となるＤＣモータ７１と欠歯歯車７６との間を全て平歯車伝達にした場合には欠歯歯車７６と回動アーム７７とを一体形成することが可能となり、この場合には回転駆動源７１から欠歯歯車７６までの回転伝達機構が平歯車伝達により簡単な構造になると共に、欠歯歯車７６と回動アーム７７とを一体形成しているので部品点数を削減できる。
【００７６】
再び図５に戻り、２段歯車７４及び回動アーム７７の上方には、板金材を用いて曲げ形成したギアカバー７８が不図示のネジによりモータブラケット７３と共締して光ピックアップベース２１Ａの上面２１ａの裏面２１ｆに締結されている。
【００７７】
この際、ギアカバー７８の上面７８ａに貫通した楕円孔７８ｂ及び丸孔７８ｃ内には，光ピックアップベース２１Ａ内に植設した軸部２１ｇ及び軸部２１ｈの各上端が進入することでギアカバー７８の位置決めが図られている。
【００７８】
また、先に説明したスライド板２４はアルミ材を黒色アルマイト処理して長方形状に形成されており、この前面２４ａにガラス板２５が一体的に接着されている。この際、スライド板２４に一体的に固着させたガラス板２５は、第１半導体レーザ２２（図１〜図３）から出射した第１レーザ光Ｌ１をそのまま透過させる透明ガラス部２５ａがスライド板２４の右端部２４ｄ側に設けられ、且つ、第１レーザ光Ｌ１に対して所定の光減衰量で成膜したＮＤフィルタ部２５ｂが透明ガラス部２５ａと連接してスライド板２４の左端部２４ｃ側に設けられている。
【００７９】
また、スライド板２４を光ピックアップベース２１Ａの移動方向（矢印Ｘ１，Ｘ２方向）と同じ方向に案内するガイドシャフト２３は、この両端が光ピックアップベース２１Ａ内で間隔を離して形成した第１，第２スライド板取り付け用壁部２１ｉ，２１ｊ上に載置され、且つ、２本の皿ネジ７９でガイドシャフト２３の両端部を押さえ付けながら２本の皿ネジ７９を第１，第２スライド板取り付け用壁部２１ｉ，２１ｊに対向して配置した第１，第２ボス部２１ｍ，２１ｎに固着している。
【００８０】
また、光ピックアップベース２１Ａ内には、スライド板２４の左端部２４ｃを当接させて、スライド板２４を第１停止位置に位置決めして停止させるための第１ストッパ用壁部２１ｋが上記した第１スライド板取り付け用壁部２１ｉと対向して設けられていると共に、スライド板２４の右端部２４ｄを当接させて、スライド板２４を第２停止位置に位置決めして停止させるための第２ストッパ用壁部は上記した第２スライド板取り付け用壁部２１ｊを兼用させているので、第２スライド板取り付け用壁部兼第２ストッパ用壁部２１ｊとなる。従って、光ピックアップベース２１Ａ内で間隔を離して形成した第１，第２ストッパ用壁部２１ｋ，２１ｊは、スライド板２４を第１，第２停止位置にそれぞれ位置決めする機能を備えている。
【００８１】
また、スライド板２４の前面２４ａ側が第１半導体レーザ２２の前端部２２ａに摺接してガイドシャフト２３回りの回転が規制されている共に、ギアカバー７８に形成したレバー状板バネ部７８ｄがスライド板２４の後面２４ｂに当接して、レバー状板バネ部７８ｄでスライド板２４の前面２４ａ側を第１半導体レーザ２２の前端部２２ａに押し当てている。
【００８２】
また、スライド板２４の左端部２４ｃの近傍に、回転アーム７７に突出形成した係合用ボス部（係合部）７７ｆを係合させるための係合用凹部（非係合部）２４ｅが後方に向かって凹状に形成されているので、回転アーム７７の係合用ボス部７７による矢印Ｒ１，Ｒ２方向への回動動作に伴ってスライド板２４がガイドシャフト２３に沿って矢印Ｘ１，Ｘ２方向に直線移動自在になっている。
【００８３】
次に、上記のように構成したＮＤフィルタ切り換え機構部７０の動作について、図７〜図９を用いて説明する。
【００８４】
図７は本発明に係る実施例１の光ピックアップ装置を用いてＢｌｕ−ｒａｙ  Ｄｉｓｃ又はＨＤ−ＤＶＤに対して記録をする場合に、スライド板に一体的に取り付けたガラス板中の透明ガラス部を光路内に挿入した状態を示した下面図、
図８は本発明に係る実施例１の光ピックアップ装置を用いてＢｌｕ−ｒａｙ  Ｄｉｓｃ又はＨＤ−ＤＶＤに対して再生をする場合に、スライド板に一体的に取り付けたガラス板中のＮＤフィルタ部を光路内に挿入した状態を示した下面図、
図９（ａ）〜（ｄ）はＮＤフィルタ切り換え機構部中で、捩じりバネと、欠歯歯車と、回動アームとによる動作を説明するための動作図である。
【００８５】
まず、図７に示した如く、Ｂｌｕ−ｒａｙ  Ｄｉｓｃ１又はＨＤ−ＤＶＤ２に対して記録をする場合には、前述したように、第１半導体レーザ２２から第１レーザ光を強いレーザパワーで出射させて、第１対物レンズ３５（図１）で絞り込んだレーザビームを強いレーザパワーのままＢｌｕ−ｒａｙ  Ｄｉｓｃ１又はＨＤ−ＤＶＤ２に対して照射する必要がある。
【００８６】
そこで、ＮＤフィルタ切り換え機構部７０のＤＣモータ７１を作動させて、先に図５に示したウォーム７２，２段歯車７４のハスバ歯車部７４ａ及び平歯車部７４ｂを介して捩じりバネ７５に付勢された欠歯歯車７６と回動アーム７７とを一体に回動させると、スライド板２４の係合用凹部２４ｅに係合した回動アーム７７の係合用ボス部７７ｆの回動により、スライド板２４が矢印Ｘ１方向に移動した後にこのスライド板２４の左端部２４ｃが光ピックアップベース２１Ａ内の第１ストッパ用壁部２１ｋに当接するので、スライド板２４が第１停止位置に位置決めされて停止すると共に、スライド板２４に一体的に取り付けたガラス板２５中の透明ガラス部２５ａが第１半導体レーザ２２の前方に位置決めされてこの第１半導体レーザ２２の光路内に挿入されるので、第１半導体レーザ２２から出射した第１レーザ光の強いレーザパワーのまま透明ガラス部２５ａを透過させることができる。
【００８７】
そして、スライド板２４が第１停止位置で停止した時には、図９（ａ）に示した如く、
軸部２１ｇを中心に回転可能な２段歯車７４の平歯車部７４ｂが、軸部２１ｈを中心に回動可能な回動アーム７６と一体に結合した欠歯歯車７６の平歯車部７６ｃから第１欠歯部７６ｄと対向するので、欠歯歯車７６の回転が停止され、且つ、欠歯歯車７６と一体な回動アーム７６の回動も停止するものの、第１欠歯部７６ｄに対して空回りしている２段歯車７４は予め設定した所定時間後にＤＣモータ７１の作動停止により回転が停止されるので、ＤＣモータ７１はモータロックせずに停止するためにモータ軸の焼付けが生じない。
【００８８】
この際、第１停止位置では、先に図６を用いて説明したように、欠歯歯車７６の回り止め溝部７６ｂと回動アーム７７の回り止め部７７ｃとの間に生じた回動方向の僅かな隙間により回動アーム７７のみが欠歯歯車７６に対して軸部２１ｈを中心にして僅かに回動する第２態様を取るので、捩じりバネ７５の一端部７５ｂの付勢力で回動アーム７７を介してスライド板２４の左端部２４ｃを光ピックアップベース２１Ａ内の第１ストッパ用壁部２１ｋ側に確実に押圧できると共に、捩じりバネ７５の他端部７５ｃで欠歯歯車７６の第１凹状バネ掛止部７６ｆ（図６）に対して押圧している。
【００８９】
次に、図８に示した如く、Ｂｌｕ−ｒａｙ  Ｄｉｓｃ１又はＨＤ−ＤＶＤ２に対して再生をする場合には、前述したように、第１半導体レーザ２２から第１レーザ光を強いレーザパワーで出射させてレーザノイズの発生を抑えているものの、第２対物レンズ３９（図１）で絞り込んだレーザビームを弱いレーザパワーでＢｌｕ−ｒａｙ  Ｄｉｓｃ１又はＨＤ−ＤＶＤ２に対して照射する必要がある。
【００９０】
そこで、ＮＤフィルタ切り換え機構部７０のＤＣモータ７１を作動させて、先に図５に示したウォーム７２，２段歯車７４のハスバ歯車部７４ａ及び平歯車部７４ｂを介して捩じりバネ７５に付勢された欠歯歯車７６と回動アーム７７とを一体に回動させると、スライド板２４の係合用凹部２４ｅに係合した回動アーム７７の係合用ボス部７７ｆの回動により、スライド板２４が矢印Ｘ２方向に移動した後にこのスライド板２４の右端部２４ｄが光ピックアップベース２１Ａ内の第２ストッパ用壁部２１ｊに当接するので、スライド板２４が第２停止位置に位置決めされて停止すると共に、スライド板２４に一体的に取り付けたガラス板２５中のＮＤフィルタ部２５ｂが第１半導体レーザ２２の前方に位置決めされてこの第１半導体レーザ２２の光路内に挿入されるので、第１半導体レーザ２２から出射した第１レーザ光の強いレーザパワーをＮＤフィルタ部２５ｂで所定光量減衰させることができる。
【００９１】
即ち、図９（ｂ）に示した如く、第１停止位置から動作を開始して、２段歯車７４の平歯車部７４ｂを軸部２１ｂを中心にして反時計方向に回転させると、２段歯車７４の平歯車部７４ｂが欠歯歯車７６の第１欠歯部７６ｄから平歯車部７６ｃに噛合するので、捩じりバネ７５に付勢された欠歯歯車７６と回動アーム７７とが軸部２１ｈを中心にして時計方向（矢印Ｒ２方向）に回動し、更に、２段歯車７４を反時計方向に回転させると、図９（ｃ）に示した第１，２停止位置の中間位置を経由した後に、図９（ｄ）に示した第２停止位置に至る。
【００９２】
そして、スライド板２４が第２停止位置で停止した時には、図９（ｄ）に示した如く、
軸部２１ｇを中心に回転可能な２段歯車７４の平歯車部７４ｂが、軸部２１ｈを中心に回動可能な回動アーム７６と一体に結合した欠歯歯車７６の平歯車部７６ｃから第２欠歯部７６ｅと対向するので、欠歯歯車７６の回転が停止され、且つ、欠歯歯車７６と一体な回動アーム７６の回動も停止するものの、第２欠歯部７６ｅに対して空回りしている２段歯車７４は予め設定した所定時間後にＤＣモータ７１の作動停止により回転が停止されるので、ＤＣモータ７１はモータロックせずに停止するためにモータ軸の焼付けが生じない。
【００９３】
この際、第２停止位置でも、先に図６を用いて説明したように、欠歯歯車７６の回り止め溝部７６ｂと回動アーム７７の回り止め部７７ｃとの間に生じた回動方向の僅かな隙間により回動アーム７７のみが欠歯歯車７６に対して軸部２１ｈを中心にして僅かに回動する第２態様を取るので、捩じりバネ７５の他端部７５ｃの付勢力で回動アーム７７を介してスライド板２４の右端部２４ｄを光ピックアップベース２１Ａ内の第２ストッパ用壁部２１ｊ側に確実に押圧できると共に、捩じりバネ７５の一端部７５ｂで欠歯歯車７６の第２凹状バネ掛止部７６ｇ（図６）に対して押圧している。
【００９４】
従って、上記したＮＤフィルタ切り換え機構部７０により、スライド板２４に一体的に取り付けたガラス板２５中の透明ガラス部２５ａを確実に第１停止位置に位置決めでき、且つ、スライド板２４に一体的に取り付けたガラス板２５中のＮＤフィルタ部２５ｂを確実に第２停止位置に位置決めできると共に、欠歯歯車７６により回転駆動源となるＤＣモータ７１に対してモータロックよるモータ軸の焼付けを防止できる。
【実施例２】
【００９５】
図１０は本発明に係る実施例２の光ピックアップ装置を適用した光ディスク装置を示した斜視図である。
【００９６】
図１０に示した本発明に係る実施例２の光ピックアップ装置２０Ｂを適用した光ディスク装置１０Ｂは、先に図１を用いて説明した本発明に係る実施例１の光ピックアップ装置２０Ａを適用した光ディスク装置１０Ａの構成と一部を除いて同様の構成であり、ここでは説明の便宜上、先に示した構成部材に対しては同一の符号を付し、且つ、先に示した構成部材は必要に応じて適宜説明し、実施例１に対して異なる構成部材に新たな符号を付して説明する。
【００９７】
上記した光ディスク装置１０Ｂでも、実施例１と同様に、Ｂｌｕ−ｒａｙ  Ｄｉｓｃ，ＤＶＤ，ＣＤを含む３種類、又は、Ｂｌｕ−ｒａｙ  Ｄｉｓｃ，ＨＤ−ＤＶＤ，ＤＶＤを含む３種類、もしくは、Ｂｌｕ−ｒａｙ  Ｄｉｓｃ，ＨＤ−ＤＶＤ，ＤＶＤ，ＣＤを含む４種の光記録媒体に対して記録又は再生をすることができるように構成されている。
【００９８】
この実施例２でも、不図示の筺体内にＢｌｕ−ｒａｙ  Ｄｉｓｃ，ＤＶＤ，ＣＤなどの複数種の光ディスク１〜４を選択的に搭載して回転駆動するスピンドルモータ１１が取り付けられている。
【００９９】
また、スピンドルモータ１１の右方には、複数種の光ディスク１〜４に対して選択的に記録又は再生をする光ピックアップ装置２０Ｂが不図示の筺体内で所定の間隔を離して互いに平行に設置した２本のガイドシャフト１２，１３に沿って光ディスク１〜４の径方向となる矢印Ｘ１，Ｘ２方向に直線移動自在に設けられている。
【０１００】
上記した光ピックアップ装置２０Ｂも、基台となる光ピックアップベース２１Ｂがアルミダイキャスト材を用いて箱状に形成されており、この光ピックアップベース２１Ｂには、先に図２を用いて説明したと同様に、Ｂｌｕ−ｒａｙ  Ｄｉｓｃ，ＨＤ−ＤＶＤ，ＤＶＤ，ＣＤなどの複数種の光ディスク１〜４に対応して実施例１と同様に複数種の第１〜第３半導体レーザ２２，４２，５１や複数の光学部品が取り付けられていると共に、第１〜第３半導体レーザ２２，４２，５１から出射された各レーザ光が立ち上げミラー３０を介して光ピックアップベース２１Ｂの上面２１ａ側に出射されている。
【０１０１】
更に、光ピックアップベース２１Ｂ内には、実施例１と同様に、第１半導体レーザ２２の前方にＮＤフィルタ切り換え機構部７０（図２，図５）が設けられている。
【０１０２】
ここで、実施例１に対して異なる点を説明すると、光ピックアップベース２１Ｂの上面２１ａ上に設けた対物レンズ切り換え機構部８０の構造が異なっている。
【０１０３】
上記した対物レンズ切り換え機構部８０では、Ｂｌｕ−ｒａｙ  Ｄｉｓｃ１に対応して開口数（ＮＡ）が０．８５程度の第１対物レンズ３５と、ＨＤ−ＤＶＤ２及びＤＶＤ３並びにＣＤ４に対応して開口数（ＮＡ）が０．６５程度の第２対物レンズ３９とが、光ピックアップベース２１Ｂの上面２１ａ上に植設したシャフト８１を中心にして矢印Ｎ１，Ｎ２方向に回転する対物レンズ回転移動体８２内に取り付けられていると共に、この対物レンズ回転移動体８２の下方部位にハスバ歯車８３が一体的に取り付けられている。この際、第１，第２対物レンズ３５，３９は、対物レンズ回転移動体８２内に取り付けた不図示の各アクチュエータによって光ディスク１〜４に対してフォーカス方向及びトラッキング方向に揺動自在に制御されるようになっている。
【０１０４】
上記に伴って、光ピックアップベース２１Ｂの上面２１ａ上には、パルスモータ８４の軸にウォーム８５を固着した状態で、このパルスモータ８４がモータブラケット８６を介して取り付けられており、この際、ウォーム８５は対物レンズ回転移動体８２の下方部位に一体的に取り付けたハスバ歯車８３と噛合している。
【０１０５】
従って、パルスモータ８４をパルス制御しながら回転させると、パルスモータ８４の回転がウォーム８５，ハスバ歯車８３の順に伝達されるので、第１対物レンズ３５を仮想中心線上で第１記録再生位置に停止させるか、又は、第２対物レンズ３９を仮想中心線上で第２記録再生位置に停止させることができる。
【０１０６】
この実施例２の場合でも、先に図３を用いて説明した実施例１の場合と同様に、第１半導体レーザ２２の前方に設けたＮＤフィルタ切り換え機構部７０の回動アーム７７を回動させることにより、Ｂｌｕ−ｒａｙ  Ｄｉｓｃ１又はＨＤ−ＤＶＤ２の記録時にガラス板２５中の透明ガラス部２５ａを第１レーザ光Ｌ１の光路内に挿入することで、第１半導体レーザ２２から出射した第１レーザ光Ｌ１を強いレーザパワーまま透明ガラス部２５ａを透過させる一方、Ｂｌｕ−ｒａｙ  Ｄｉｓｃ１又はＨＤ−ＤＶＤ２の再生時にガラス板２５中のＮＤフィルタ部２５ｂを第１レーザ光Ｌ１の光路内に挿入することで、第１半導体レーザ２２から出射した第１レーザ光Ｌ１の強いレーザパワーをＮＤフィルタ部２５ｂで減衰させることで、再生時にレーザノイズが発生し易い第１レーザ光Ｌ１の弱いレーザパワーを使用しなくてすむようになる。
【０１０７】
以上詳述した実施例１，２の光ピックアップ装置２０Ａ，２０Ｂでは、複数種の光ディスク１〜４に対して選択的に記録又は再生をする際に、ＮＤフィルタ切り換え機構部７０を構成するスライド板２４に一体的に取り付けたガラス板２５中の透明ガラス部２５ａ又はＮＤフィルタ部２５ｂを、第１半導体レーザ２２と第１対物レンズ３５との間の光路内に挿脱自在に設けた例について説明したが、これに限ることなく、スライド板（２４）に一体的に固着させる光学部品としては、実施例で説明したような光量を減衰させるＮＤフィルタの他に、図示を省略するものの、例えばレーザ光の位相を変える波長板又は位相板や、レーザ光をオンオフ制御する液晶板や、レーザ光の光路を変換させるミラーなどでも良い。
【０１０８】
従って、少なくとも１種類以上の光記録媒体に対して記録又は再生をする場合に、光ピックアップベースに取り付けた駆動源によって回転する歯車と、この歯車に噛合する欠歯歯車と、欠歯歯車と一体となって光ピックアップベースに植設した軸部を中心して所定の角度回動可能な回動アームと、光学部品を一体的に固着し且つ回動アームに係合しながらガイド部材に案内されて光ピックアップベースに間隔を離して形成した第１，第２ストッパにそれぞれ当接する第１，第２停止位置間を直線移動するスライド板と、欠歯歯車及び回動アームに掛止された捩じりバネとを備えて、半導体レーザと対物レンズとの間の光路内にスライド板を介して光学部材を挿脱自在に構成すれば良いものである。
【図面の簡単な説明】
【０１０９】
【図１】本発明に係る実施例１の光ピックアップ装置を適用した光ディスク装置を示した斜視図である。
【図２】図１に示した光ピックアップベースの内部を裏面側から見た斜視図である。
【図３】本発明に係る実施例１の光ピックアップ装置内の光学部品構成を示した構成図である。
【図４】本発明に係る実施例１の光ピックアップ装置を適用した光ディスク装置を示した平面図であり、（ａ）は第１対物レンズが第１記録再生位置に至った状態を示し、（ｂ）は第２対物レンズが第２記録再生位置に至った状態を示した図である。
【図５】本発明に係る実施例１の光ピックアップ装置において、ＮＤフィルタ切り換え機構部を分解して示した分解斜視図である。
【図６】図５に示したＮＤフィルタ切り換え機構部中で、捩じりバネと、欠歯歯車と、回動アームとを分解して示した分解斜視図である。
【図７】本発明に係る実施例１の光ピックアップ装置を用いてＢｌｕ−ｒａｙ  Ｄｉｓｃ又はＨＤ−ＤＶＤに対して記録をする場合に、スライド板に一体的に取り付けたガラス板中の透明ガラス部を光路内に挿入した状態を示した下面図である。
【図８】本発明に係る実施例１の光ピックアップ装置を用いてＢｌｕ−ｒａｙ  Ｄｉｓｃ又はＨＤ−ＤＶＤに対して再生をする場合に、スライド板に一体的に取り付けたガラス板中のＮＤフィルタ部を光路内に挿入した状態を示した下面図である。
【図９】（ａ）〜（ｄ）はＮＤフィルタ切り換え機構部中で、捩じりバネと、欠歯歯車と、回動アームとによる動作を説明するための動作図である。
【図１０】本発明に係る実施例２の光ピックアップ装置を適用した光ディスク装置を示した斜視図である。
【符号の説明】
【０１１０】
１…Ｂｌｕ−ｒａｙ  Ｄｉｓｃ、２…ＨＤ−ＤＶＤ、３…ＤＶＤ、４…ＣＤ、
１０Ａ…実施例１の光ディスク装置、
１０Ｂ…実施例２の光ディスク装置、
１１…スピンドルモータ、１１，１２…ガイドシャフト、
２０Ａ…実施例１の光ピックアップ装置、
２０Ｂ…実施例２の光ピックアップ装置、
２１Ａ…実施例１の光ピックアップベース、
２１Ｂ…実施例２の光ピックアップベース、
２１ａ…上面、２１ｂ…ガイドレール、
２１ｃ…第１ストッパ用ボス部、２１ｄ…第２ストッパ用ボス部、
２１ｅ…半導体レーザ取り付け用壁部、２１ｆ…上面の裏面、
２１ｇ，２１ｈ…軸部、
２１ｉ…第１スライド板取り付け用壁部、
２１ｊ…第２スライド板取り付け用壁部兼第２ストッパ用壁部、
２１ｋ…第１ストッパ用壁部、２１ｍ，２１ｎ…第１，第２ボス部、
２２…第１半導体レーザ（Ｂｌｕ−ｒａｙ  Ｄｉｓｃ用及びＨＤ−ＤＶＤ用）、
２３…ガイドシャフト、
２４…スライド板、２４ａ…前面、２４ｂ…後面、２４ｃ…左端部、
２４ｄ…右端部、２４ｅ…非係合部（係合用凹部）、
２５…ガラス板、２５ａ…透明ガラス部、２５ｂ…ＮＤフィルタ部、
２６…第１グレーティング、２７…第１偏光ビームスプリッタ、
２８…第１コリメータレンズ、２９…第１ダイクロイックプリズム、
３０…立ち上げミラー、３１…１／４波長板、
３２…第１対物レンズ組立体、３３…第１レンズホルダ、
３４…第１開口制限素子、３５…第１対物レンズ、
３６…第２対物レンズ組立体、３７…第２レンズホルダ、
３８…第２開口制限素子、３９…第２対物レンズ、
４０…第１検出レンズ、４１…第１光検出器、
４２…第２半導体レーザ（ＤＶＤ用）、４３…第２グレーティング、
４４…第２偏光ビームスプリッタ、４５…第２ダイクロイックプリズム、
４６…第２コリメータレンズ、４７…第２検出レンズ、４８…第２光検出器、
５０…ホログラムデバイス組立体、５１…第３半導体レーザ（ＣＤ用）、
５２…第３グレーティング、５３…ホログラム、５４…第３光検出器、
６０…実施例１の対物レンズ切り換え機構部、６１…対物レンズ直線移動体、
６２…ネジ、６３…ガイドシャフト、６４…ナット部材、６４ａ…ナット部、
６５…モータブラケット、６６…ステッピングモータ、６７…リードスクリュー、
７０…ＮＤフィルタ切り換え機構部、
７１…ＤＣモータ、７２…ウォーム、７３…モータブラケット、
７４…２段歯車、７４ａ…ハスバ歯車部、７４ｂ…平歯車部、
７５…捩じりバネ、７５ａ…リング部、７５ｂ…一端部、７５ｃ…他端部、
７６…欠歯歯車、７６ａ…中心孔、７６ｂ…回り止め溝部、７６ｃ…平歯車部、
７６ｄ，７６ｅ…第１，第２欠歯部、７６ｆ，７６ｇ…第１，第２凹状バネ掛止部、
７７…回動アーム、７７ａ…中心孔、７７ｂ…筒部、７７ｃ…回り止め部、
７７ｄ，７７ｅ…第１，第２凹状バネ掛止部、７７ｆ…係合部（係合用ボス部）、
７８…ギアカバー、７８ａ…上面、７８ｂ…楕円孔、７８ｃ…丸孔、
７８ｄ…レバー状板バネ部、７９…皿ネジ、
８０…実施例２の対物レンズ切り換え機構部、８１…シャフト、
８２…対物レンズ回転移動体、８３…ハスバ歯車、８４…パルスモータ、
８５…ウォーム、８６…モータブラケット、
Ｆ１，Ｆ２…捩じりバネの一端部及び他端部の各付勢力、
Ｋ…仮想中心線、ＯＡ…光軸。
【図１】
2008192219.tif 000003
【図２】
2008192219.tif 000004
【図３】
2008192219.tif 000005
【図４】
2008192219.tif 000006
【図５】
2008192219.tif 000007
【図６】
2008192219.tif 000008
【図７】
2008192219.tif 000009
【図８】
2008192219.tif 000010
【図９】
2008192219.tif 000011
【図１０】
2008192219.tif 000012